(57)【特許請求の範囲】
【請求項１】
風呂追い焚きのための熱交換加熱と給湯用の熱交換加熱を行う１つのバーナを備え、コントローラの構成として、追い焚き単独運転が行われる場合にはフィードフォワード制御によって一定の追い焚き号数で連続燃焼を行い、給湯単独運転が行われる場合にはフィードフォワード制御とフィードバック制御との組み合わせによって必要出湯号数が切り換え基準号数以上の場合には比例制御による連続燃焼を行うと共に未満の場合にはオンオフ燃焼制御を行い、且つ前記給湯単独運転の場合には、燃焼缶体の排気機構の種類及び風圧スイッチのオンかオフかによる排気抵抗条件に応じて、該排気抵抗が大きい程大きい値として予め記憶させた切り換え基準号数の中から対応する切り換え基準号数を選択設定するようにした給湯機能付風呂釜装置であって、前記コントローラの構成として、追い焚き運転と給湯運転との同時運転の場合には、給湯用の必要出湯号数に風呂追い焚き用として仮に与えられる仮追い焚き号数を加えてなる同時運転時開始号数でもってフィードフォワード制御による連続燃焼を開始し、且つ前記仮追い焚き号数については、燃焼缶体の排気機構の種類及び風圧スイッチのオンかオフかによる排気抵抗条件に応じて排気抵抗が大きい程大きい値として予め得て、これを記憶させておくと共に前記排気抵抗条件に応じて対応する仮追い焚き号数を選択設定し、同時運転開始後はフィードバック制御を組み合わせて、演算される総必要号数が、前記与えられた仮追い焚き号数に給湯単独運転時の最低の切り換え基準号数を加えてなる同時運転時切り換え基準号数以上となる場合には比例制御による連続燃焼を行い、未満となる場合にはオンオフ燃焼制御を行う構成としたことを特徴とする給湯機能付風呂釜装置。
【発明の詳細な説明】
【０００１】
【発明の属する技術分野】
本発明は給湯機能付風呂釜装置に関する。
【０００２】
【従来の技術】
風呂追い焚きのための熱交換加熱と給湯用の熱交換加熱を行う１つのバーナを備えた給湯機能付風呂釜装置においては、追い焚き運転と給湯運転を同時運転する場合には、追い焚き側の回路には出湯号数を演算するためのセンサ類がそろっていないため、フィードフォワード号数としては、給湯用の必要出湯号数に追い焚き用としての仮追い焚き号数を一律の号数として加えて同時運転時開始号数とし、この同時運転時開始号数でフィードフォワード制御することによりバーナが必ず比例制御による連続燃焼を行うようにして運転を開始し、その後給湯回路側のセンサ類で出湯温度等を検出して給湯側が設定された出湯温度になるようにフィードバック制御を行うようになされていた。
【０００３】
【発明が解決しようとする課題】
ところが上記従来の装置においては、装置の排気機構の種類及び風圧スイッチのオンかオフかによる排気抵抗条件によって、同時運転中における比例制御による連続燃焼かオンオフ燃焼制御かを切り換える同時運転時切り換え基準号数を変更するようにしていたので、排気抵抗条件の変更に関係なく前記一律の仮追い焚き号数を加算した同時運転時開始号数で運転を開始すると、必要出湯号数の号数によっては、同時運転時開始号数と実際に必要な号数との差が大きくなりすぎて、また同時運転時開始号数と同時運転時切り換え基準号数との差が大きくなりすぎて、フィードバック制御において、実際に必要な号数に達するまでに時間がかかったり、運転を比例制御による連続燃焼からオンオフ燃焼制御に切り換えるまでに時間がかかる問題があった。またそのため給湯がオーバーシュートする問題もあった。
【０００４】
そこで本発明は、上記従来の給湯機能付風呂釜装置における問題を解消し、給湯運転と風呂追い焚き運転を同時運転する場合において、排気抵抗条件の変更に対して良好に燃焼を行うことができると共に運転開始からスムーズに必要な号数或いは燃焼状態への移行を行うことができ、大きなオーバーシュートが発生しない給湯機能付風呂釜装置の提供を課題とする。
【０００５】
【課題を解決するための手段】
上記課題を解決するため、本発明の給湯機能付風呂釜装置は、風呂追い焚きのための熱交換加熱と給湯用の熱交換加熱を行う１つのバーナを備え、コントローラの構成として、追い焚き単独運転が行われる場合にはフィードフォワード制御によって一定の追い焚き号数で連続燃焼を行い、給湯単独運転が行われる場合にはフィードフォワード制御とフィードバック制御との組み合わせによって必要出湯号数が切り換え基準号数以上の場合には比例制御による連続燃焼を行うと共に未満の場合にはオンオフ燃焼制御を行い、且つ前記給湯単独運転の場合には、燃焼缶体の排気機構の種類及び風圧スイッチのオンかオフかによる排気抵抗条件に応じて、該排気抵抗が大きい程大きい値として予め記憶させた切り換え基準号数の中から対応する切り換え基準号数を選択設定するようにした給湯機能付風呂釜装置であって、前記コントローラの構成として、追い焚き運転と給湯運転との同時運転の場合には、給湯用の必要出湯号数に風呂追い焚き用として仮に与えられる仮追い焚き号数を加えてなる同時運転時開始号数でもってフィードフォワード制御による連続燃焼を開始し、且つ前記仮追い焚き号数については、燃焼缶体の排気機構の種類及び風圧スイッチのオンかオフかによる排気抵抗条件に応じて排気抵抗が大きい程大きい値として予め得て、これを記憶させておくと共に前記排気抵抗条件に応じて対応する仮追い焚き号数を選択設定し、同時運転開始後はフィードバック制御を組み合わせて、演算される総必要号数が、前記与えられた仮追い焚き号数に給湯単独運転時の最低の切り換え基準号数を加えてなる同時運転時切り換え基準号数以上となる場合には比例制御による連続燃焼を行い、未満となる場合にはオンオフ燃焼制御を行う構成としたことを特徴としている。
【０００６】
上記本発明の特徴において、号数とは、熱量の単位で、１号は１リットルの水を１分間に２５℃上昇させる熱量である。
切り換え基準号数とは、それ以上の号数で運転を行う場合には比例制御による連続燃焼を行い、それ未満の号数で運転を行う場合にはオンオフ制御燃焼を行うようにした燃焼運転の切り換え号数をいう。
燃焼缶体とはその内部でバーナの燃焼をさせ、発生した燃焼ガスによって熱交換部を通過する際に風呂追い焚きのための熱交換加熱や給湯用の熱交換加熱を行い、さらに熱交換に使用済の燃焼ガスを排気ガスとして排気部から外部に排気する缶体である。
燃焼缶体の排気機構の種類とは、例えば、燃焼缶体を屋内に配置すると共に排気筒を屋内から屋外に配設してなる所謂屋内設置屋外自然排気型、燃焼缶体を屋内に配置すると共に吸排気筒を屋内から屋外に配置して強制吸排気を行う強制吸排気型、燃焼缶体を屋外に配置して排気筒を事実上設けることなく排気する所謂屋外設置自然排気型に大きく分けることができる。この場合、排気抵抗は強制吸排気型及び屋外設置自然排気型に比べて屋内設置屋外自然排気型が高排気抵抗となる。
また風圧スイッチは通常燃焼缶体内へ外部から吹き込まれる逆風の有無によってオン、オフするスイッチで、逆風があると排気抵抗が上昇し、風圧スイッチがオンする。
仮追い焚き号数とは、追い焚き運転と給湯運転を同時運転する場合に、運転開始に際して、給湯加熱と追い焚き加熱とのうち追い焚き加熱に用いられるであろう号数として仮に与えられる号数で、この仮追い焚き号数を給湯用の必要出湯号数に加えることで同時運転時開始号数とし、この同時運転時開始号数によって運転を開始することによって、開始時には連続燃焼運転となるようにしたものである。
前記仮追い焚き号数は、排気機構の種類及び風圧スイッチのオンかオフによって変化する排気抵抗条件に応じて、排気抵抗が大きくなるほど大きい仮追い焚き号数になるように、予め実験によって適当な燃焼状態が得られるような号数を決定し、コントローラに記憶しておく。これにより、同時運転においては、排気抵抗の種類と風圧スッチのオンかオフが定まると、それに対応する仮追い焚き号数が記憶から選択されて設定される。
総必要号数とは、追い焚き運転と給湯運転との同時運転中において、フィードフォワード制御号数（同時運転時開始号数）にフィードバック制御号数を加算した号数をいう。
同時運転時切り換え基準号数とは、追い焚き運転と給湯運転を同時運転している場合において、それ以上の号数で運転を行う場合には比例制御による連続燃焼を行い、それ未満の号数で運転を行う場合にはオンオフ制御燃焼を行うようにした基準となる切り換え号数をいう。
給湯単独運転時の最低の切り換え基準号数とは、給湯単独運転時において、排気抵抗条件が最も良い場合、即ち、例えば上記において燃焼缶体の排気機構が屋内設置強制吸排気型や屋外設置自然排気型の場合で、且つ風圧スイッチがオフの状態にある場合等、排気抵抗が最も小さい条件にある場合において、それ以上の号数では連続燃焼による比例制御で給湯用出湯温度を設定した温度に調節することができるが、未満の号数ではオンオフ燃焼制御しなければ設定した出湯温度に調節することがうまくできないとし、燃焼形態を切り換える基準となる号数である。
上記本発明の特徴によれば、同時運転時が指令されると、コントローラは給湯設定温度から給湯側の必要出湯号数を演算し、また排気機構の種類及び風圧スイッチのオンかオフかによって、予め記憶されている仮追い焚き号数の中から対応する仮追い焚き号数を選出し、この２つの号数を加えて同時運転時開始号数とし、フィードフォワード制御により連続燃焼による運転を開始する。一方、運転中における同時運転時切り換え基準号数は、給湯単独運転時の最低の切り換え基準号数に、前記選出した仮追い焚き号数を加えた号数とし、これによって比例制御による連続燃焼とオンオフ制御燃焼とを切り換える。このようにすることで、同時運転開始時には、排気抵抗条件に応じた適当な同時運転時開始号数で運転を開始することができ、良好な燃焼を確保することができる。また実際に必要な号数に対して排気抵抗に応じた仮追い焚き号数を選択して設定するので、同時運転時開始号数と実際に必要な号数との差を少なくすることができ、運転開始後速やかにフィードバック制御による実際に必要な号数までの調整を行うことができる。よって給湯がオーバーシュートしたりアンダーシュートしたりする時間を短くすることができる。
また同時運転時開始号数の演算に用いた仮追い焚き号数と同じ仮追い焚き号数を用いて同時運転時切り換え基準号数を設定しているので、同時運転時開始号数と同時運転時切り換え基準号数とをその差が大きくなり過ぎることなく設定することができ、運転を開始後、必要に応じて速やかにオンオフ制御燃焼へと燃焼運転を切り換えることができ、給湯のオーバーシュートを速やかに解消することができる。
【０００７】
【発明の実施の形態】
以下に本発明の実施の形態を説明する。
図１は本発明の実施の形態を示す給湯機能付風呂釜装置の全体概略構成図、図２はコントローラの制御構成を説明するフローチャートである。
【０００８】
図１において、１０は燃焼缶体で、風呂追い焚き用の追い焚き循環路２０の熱交換コイル２３と、給湯用の給湯回路３０の熱交換コイル３３とが上部空間を貫通している。風呂追い焚き循環路２０は、浴槽から燃焼缶体１０への風呂戻り管２１と燃焼缶体１０から浴槽への風呂往き管２２とからなる。風呂戻り管２１には循環ポンプ４０、風呂水位センサ４１、風呂水流スイッチ４２、風呂温度センサ４３等が設けられている。
前記給湯回路３０は、入水管３１と出湯管３２とからなり、入水管３１には入水流量センサ４４、入水温度センサ４５が設けられ、出湯管３２には出湯温度センサ４６が設けられている。出湯管３２のバイパス３４の接続点より下流には過流出防止装置４７、給湯温度センサ４８が設けられ、更にその下流で一般給湯管３５と風呂自動給湯管３６とに分岐している。風呂自動給湯管３６は落とし込み弁機構４９を介して風呂戻り管２１に接続し、浴槽への自動給湯ができるようになされている。
【０００９】
前記燃焼缶体１０の下部にはバーナ５０が取り付けられ、燃料噴霧ノズル５１が燃焼缶体１０内に臨んで燃料が燃焼缶体内１０に噴霧されると共に送風ファン５２からの燃焼用空気が燃焼缶体１０内に吹き込まれる。前記燃料は石油燃料とし、石油供給管路５３を通って２つのポンプ５４、５５で燃料噴霧ノズル５１側へ供給されると共に流量調節弁５６で供給流量が調節される。前記燃料噴霧ノズル５１はリターン路５７を有するリターン式ノズルとすることができる。
前記燃焼缶体１０内の最上部には排気ガス集合室１１が設けられ、該排気ガス集合室１１に入った排気ガスはそこから排気機構１２を通って外部に排出される。図に示す例は、屋外設置の自然排気型を示し、排気ガス集合室１１から排気機構１２として短筒を介して外部へ排気されるようになされている。そして前記短筒の中に風圧スイッチ１３を設けている。前記排気機構１２は、本例では屋外設置自然排気型としたが、燃焼缶体１０を屋内に設置すると共に吸排気用のファンを備えた強制吸排気筒を屋外まで延ばして設けた所謂強制吸排気型としてもよいし、また燃焼缶体１０を屋内に設置すると共に排気筒を屋外まで延ばして自然排気する所謂屋内設置屋外自然排気型の排気機構としてもよい。
【００１０】
６０はコントローラで、リモコン７０からの指令を受け、また装置各部のセンサからの情報を得て、所定のソフトウエアに基づいて、演算、判定を行い、所定の指令を装置各部に出力する。
コントローラ６０による運転の制御構成を更に説明する。リモコン７０により追い焚き単独運転が指令された場合は、一定の追い焚き号数により連続燃焼を行い、浴槽水を追い焚き循環路２０を介して燃焼缶体１０に循環させることで浴槽水を加熱し、浴槽温度が所定の温度になれば、燃焼を停止して運転を終了する。
またリモコン７０により給湯運転だけが指令されている場合に、入水管３１の入水流量センサ４４が一定の最低作動水量以上を検出すると給湯単独運転が開始される。
給湯単独運転においては、フィードフォワード制御（以下ＦＦ制御とする）とフィードバック制御（以下ＦＢ制御とする）との組み合わせで燃焼運転を行う。そして先ず設定給湯温度等から必要出湯号数を演算し、その演算された出湯号数でバーナ５０をＦＦ制御燃焼すると共に実際の出湯温度からＦＢ制御により出湯号数を補正する。そしてこの補正された給湯用の必要出湯号数Ａが給湯単独運転における切り換え基準号数Ｂ以上の場合は比例制御による連続燃焼を行い、切り換え基準号数Ｂ未満になるとオンオフ制御燃焼を行うことで、設定された給湯温度になるよう調節する。
そして給湯単独運転の場合には、前記給湯単独運転における切り換え基準号数Ｂの値を、燃焼缶体１０の排気構成の種類及び風圧スイッチ１３のオンかオフかによる排気抵抗条件によって変更する。即ち、最も排気抵抗の少ない場合の切り換え基準号数Ｂを最低の切り換え基準号数Ｂ０  とし、排気抵抗が大きくなるに連れて大きい切り換え基準号数Ｂとする。この値は予め実験によって適当な値を決め、これをコントローラ６０に記憶させておく。即ち、例えば前記排気構成が屋内設置屋外自然排気型か否か、及び風圧スイッチ１３がオンか否かで４つの切り換え基準号数Ｂを決めて、記憶させておき、給湯単独運転時に該当する切り換え基準号数Ｂを採用する。
【００１１】
次に、図２も参照して、風呂追い焚き運転と給湯運転との同時運転を行う場合のコントローラの制御構成を説明する。この場合には、浴槽水を循環加熱する他に給湯を所定の設定温度にして出湯する必要があるから、給湯を所定の出湯温度で出湯するために必要な給湯用の必要出湯号数Ａの他に追い焚き用としての号数が必要となる。が、トータルの号数で燃焼を行っても、どの様な比率で給湯側の熱交換と追い焚き側の熱交換が行われるか判らないので、追い焚き用として仮の号数、即ち仮追い焚き号数Ｆを演算された給湯用の必要出湯号数Ａに加えて、同時運転時開始号数Ｓとし、この同時運転時開始号数ＳでＦＦ制御による連続燃焼を開始し、その後ＦＢ制御により設定された温度の出湯となるようにするのである。
前記仮追い焚き号数Ｆを一定値にすると、排気抵抗条件との関係で、既述したように制御上好ましくない状態となる場合があるので、排気抵抗条件に応じた値を予め実験により得て、これをコントローラ６０に記憶させておき、運転時に排気抵抗条件に対応して選択設定する。即ち排気抵抗が大きい程大きい値の仮追い焚き号数Ｆを採用することで、排気抵抗の大小に応じて適切な燃焼をさせると共に、排気抵抗の大小に応じて幾つかの仮追い焚き号数Ｆを採用することで、ＦＦ制御による燃焼開始後、ＦＢ制御によってスムーズ（速やかに）に給湯側が設定された温度の出湯となるようにするのである。仮追い焚き号数Ｆの値を排気抵抗に応じてどの様に定めるかは実験によるが、給湯単独運転時の最低の切り換え基準号数Ｂ０  （バーナを連続燃焼させて得ることができる最小号数）に仮追い焚き号数Ｆの値を加えた号数で燃焼する場合に、必ず比例制御による連続燃焼となるような最小の号数とすることができる。このように仮追い焚き号数Ｆを決めることで、同時運転時開始号数Ｓによる燃焼開始を連続燃焼で開始することができる。
【００１２】
同時運転が開始された後はＦＦ制御にＦＢ制御を組み合わせて燃焼制御を行うが、その際の総必要号数Ｔ（即ちＦＦ制御号数とＦＢ制御号数との和）の号数が小さくなると、比例制御による連続燃焼からオンオフ制御燃焼に切り換える必要が生じる。この同時運転時における連続燃焼とオンオフ燃焼との切り換え基準号数、即ち同時運転時切り換え基準号数Ｃの値は、排気抵抗条件に応じて、前記給湯単独運転時の最低の切り換え基準号数Ｂ０  にそのときの排気抵抗条件で与えられる仮追い焚き号数Ｆを用いることで、排気抵抗条件に対する切り換え基準号数の修正を施している。よって、給湯側の切り換え基準号数については排気抵抗条件に応じて変更させる必要はなく、排気抵抗条件の最も緩和された（排気抵抗が最も低い）給湯単独運転時の最低の切り換え基準号数Ｂ０  を用いることで、全体として適切な同時運転時切り換え基準号数Ｃを得ることができる。
【００１３】
図２のフローチャートに従って、同時運転時のコントローラ６０の制御構成を再度説明する。今、給湯機能付風呂釜装置において、風呂追い焚き運転と給湯運転の同時運転が指令されると（Ｓ１でイエス）、コントローラ６０は先ず、装置の排気機構が屋内設置屋外自然排気型か否か（Ｓ２）を判断すると共に風圧スイッチ１３がオンかオフかを判断する（Ｓ３、Ｓ４）。
前記ステップＳ２、Ｓ３において、排気機構が屋内設置屋外自然排気型ではなく（Ｓ２でノー）、且つ風圧スイッチ１３がオフの場合（Ｓ３でノー）の場合には、コントローラ６０は排気抵抗条件が最も緩和された（排気抵抗が最も小さい）場合として、予め実験で得て記憶しておいた仮追い焚き号数Ｆの中から対応する最も小さい値である５．７  号を選択設定する。また同時運転時開始号数Ｓとして、設定給湯温度に対して演算される給湯用の必要出湯号数Ａに前記仮追い焚き号数Ｆ＝５．７  を加えた値を設定する。また同時運転時切り換え基準号数Ｃとして、給湯単独運転時の最低の切り換え基準号数Ｂ０  に前記仮追い焚き号数Ｆ＝５．７  を加えた値を設定する（Ｓ５）。
同様にステップＳ２、Ｓ４において、排気機構が屋内設置屋外自然排気型で（Ｓ２でイエス）、且つ風圧スイッチ１３がオフの場合（Ｓ４でノー）の場合には、コントローラ６０は排気抵抗条件が２番目に緩和された（排気抵抗が２番目に小さい）場合として、予め実験で得て記憶しておいた仮追い焚き号数Ｆの中から対応する値である８号を選択設定する。また同時運転時開始号数Ｓとして、設定給湯温度に対して演算される給湯用の必要出湯号数Ａに前記仮追い焚き号数Ｆ＝８を加えた値を設定する。また同時運転時切り換え基準号数Ｃとして、給湯単独運転時の最低の切り換え基準号数Ｂ０  に前記仮追い焚き号数Ｆ＝８を加えた値を設定する（Ｓ６）。
同様にステップＳ２、Ｓ３において、排気機構が屋内設置屋外自然排気型でなく（Ｓ２でノー）、且つ風圧スイッチ１３がオンの場合（Ｓ３でイエス）の場合には、コントローラ６０は予め実験で得て記憶しておいた仮追い焚き号数Ｆの中から対応する値である８．５  号を選択設定する。また同時運転時開始号数Ｓとして、設定給湯温度に対して演算される給湯用の必要出湯号数Ａに前記仮追い焚き号数Ｆ＝８．５  を加えた値を設定する。また同時運転時切り換え基準号数Ｃとして、給湯単独運転時の最低の切り換え基準号数Ｂ０  に前記仮追い焚き号数Ｆ＝８．５  を加えた値を設定する（Ｓ７）。
同様にステップＳ２、Ｓ４において、排気機構が屋内設置屋外自然排気型で（Ｓ２でイエス）、且つ風圧スイッチ１３がオンの場合（Ｓ４でイエス）の場合には、コントローラ６０は排気抵抗条件が最も過酷な（排気抵抗が最も大きい）場合として、予め実験で得て記憶しておいた仮追い焚き号数Ｆの中から対応する値である１０号を選択設定する。また同時運転時開始号数Ｓとして、設定給湯温度に対して演算される給湯用の必要出湯号数Ａに前記仮追い焚き号数Ｆ＝１０を加えた値を設定する。また同時運転時切り換え基準号数Ｃとして、給湯単独運転時の最低の切り換え基準号数Ｂ０  に前記仮追い焚き号数転数Ｆ＝１０を加えた値を設定する（Ｓ８）。
【００１４】
コントローラ６０は上記仮追い焚き号数Ｆ、同時運転時開始号数Ｓ、同時運転時切り換え基準号数Ｃを演算した後、同時運転時開始号数Ｓを持ってＦＦ制御による連続燃焼を開始する（Ｓ９）。そして開始後、ＦＢ制御により給湯側が設定された出湯温度になるよう制御を加える（Ｓ１０）。そして運転中において、ＦＦ制御号数とＦＢ制御号数の和からなる総必要号数Ｔが同時運転時切り換え基準号数Ｃ以上か否かを監視し（Ｓ１１）、以上であれば（Ｓ１１でイエス）、比例制御による連続燃焼を行い（Ｓ１２）、未満であれば（Ｓ１１でノー）、オンオフ燃焼制御とする（Ｓ１３）。
【００１５】
【発明の効果】
本発明は以上の構成よりなり、請求項１に記載の給湯機能付風呂釜装置によれば、コントローラの構成として、追い焚き運転と給湯運転との同時運転の場合には、給湯用の必要出湯号数に風呂追い焚き用として仮に与えられる仮追い焚き号数を加えてなる同時運転時開始号数でもってフィードフォワード制御による連続燃焼を開始し、且つ前記仮追い焚き号数については、燃焼缶体の排気機構の種類及び風圧スイッチのオンかオフかによる排気抵抗条件に応じて排気抵抗が大きい程大きい値として予め得て、これを記憶させておくと共に前記排気抵抗条件に応じて対応する仮追い焚き号数を選択設定し、同時運転開始後はフィードバック制御を組み合わせて、演算される総必要号数が、前記与えられた仮追い焚き号数に給湯単独運転時の最低の切り換え基準号数を加えてなる同時運転時切り換え基準号数以上となる場合には、比例制御による連続燃焼を行い、未満となる場合にはオンオフ燃焼制御を行う構成としたので、
同時運転開始時には、排気抵抗条件に応じた適当な同時運転時開始号数で運転を開始することができ、良好な燃焼を確保することができる。また実際に必要な号数に対して排気抵抗に応じた仮追い焚き号数を選択して設定するので、同時運転時開始号数と実際に必要な号数との差を少なくすることができ、運転開始後速やかにフィードバック制御による実際に必要な号数までの調整を行うことができる。よって給湯がオーバーシュートしたりアンダーシュートしたりする時間を短くすることができる。
また同時運転時開始号数の演算に用いた仮追い焚き号数と同じ仮追い焚き号数を用いて同時運転時切り換え基準号数を設定しているので、同時運転時開始号数と同時運転時切り換え基準号数とをその差が大きくなり過ぎることなく設定することができ、運転を開始後、必要に応じて速やかに比例制御による連続燃焼からオンオフ制御燃焼へと切り換えを行うことができ、給湯のオーバーシュートを速やかに解消することができる。
【図面の簡単な説明】
【図１】本発明の実施の形態を示す給湯機能付風呂釜装置の全体概略構成図である。
【図２】コントローラの制御構成を説明するフローチャートである。
【符号の説明】
１０  燃焼缶体
１１  排気ガス集合室
１２  排気機構
１３  風圧スイッチ
２０  追い焚き循環路
２３  熱交換コイル
３０  給湯回路
３１  入水管
３２  出湯管
３３  熱交換コイル
５０  バーナ
６０  コントローラ
【図１】
0003584572.tif 000002
【図２】
0003584572.tif 000003